(57)【特許請求の範囲】
【請求項１】
５つのダイヤフラムを十字状に近接配置し、前記ダイヤフラムに対向するキーコア面にプッシャー部を設け、前記プッシャー部の断面の径を中心とその周囲とで変えることにより、５方向操作を１つのキーで行なえるようにしたことを特徴とする５方向キー操作装置。
【請求項２】
前記プッシャー部のある、キーコア面の任意の位置にリブまたはボスを植立させて、５方向操作を１つのキーで行なえるようにしたことを特徴とする請求項１記載の５方向キー操作装置。
【請求項３】
５つのダイヤフラムを十字状に近接配置し、前記ダイヤフラムに対向するキーコア面の周囲に形成されているキースカート部の構造を変えることにより５方向操作を１つのキーで行なえるようにしたことを特徴とする５方向キー操作装置。
【請求項４】
前記キースカート部の幅又は厚みを変えることにより、５方向操作を１つのキーで行なえるようにしたことを特徴とする請求項３記載の５方向キー操作装置。
【請求項５】
前記キースカート部の形状を変えることにより、５方向操作を１つのキーで行なえるようにしたことを特徴とする請求項３記載の５方向キー操作装置。
【請求項６】
５つのダイヤフラムを十字状に近接配置し、前記ダイヤフラムの荷重を中心とその周囲とで変えるとともに、前記ダイヤフラムに対向するキーコア面にプッシャー部を設け、前記プッシャー部のある、キーコア面の任意の位置にリブまたはボスを植立させたことを特徴とする５方向キー操作装置。
【請求項７】
５つのダイヤフラムを十字状に近接配置し、前記ダイヤフラムの荷重を中心とその周囲とで変えるとともに、前記ダイヤフラムに対向するキーコア面の周囲に形成されているキースカート部の構造を変えることにより５方向操作を１つのキーで行なえるようにしたことを特徴とする５方向キー操作装置。
【請求項８】
５つのダイヤフラムを十字状に近接配置し、前記ダイヤフラムの荷重を中心とその周囲とで変えるとともに、前記ダイヤフラムに対向するキーコア面にプッシャー部を設け、前記プッシャー部の構造を中心とその周囲とで変えるようにし、更に前記ダイヤフラムに対向するキーコア面の周囲に形成されているキースカート部の構造を変えることにより５方向操作を１つのキーで行なえるようにしたことを特徴とする５方向キー操作装置。
【発明の詳細な説明】
【０００１】
【発明の属する技術分野】
本発明は、ＰＨＳをも含む携帯電話機等の５方向キー操作装置に関し、特にキーコア面のゴムベースに工夫を施して５方向（上下左右＋中心）のキー操作を同一の操作ボタンで、誤操作なく、円滑に行なえるよう構成したものである。
【０００２】
【従来の技術】
従来から図１３に示されるような５方向キー操作装置が知られている。すなわち、携帯電話機の本体100に、液晶ディスプレイ(ＬＣＤ)等の表示部101と各種キーが配列された操作部102とが設けられ、操作部102は、移動キー103及び確定キー104からなる第１部分と、テンキー、メニューキー及びその他のキー105からなる第２部分とから構成されており、その内、第１部分が５方向キー操作装置を構成する。
【０００３】
５方向とは、上下左右の各方向（図中の三角矢印参照）と中心方向を指し、通常、前後左右の各方向のキー、すなわち移動キー103を操作することにより、表示部101上の指示表示間のカーソル移動を行なうと共に、中心方向のキー、すなわち確定キー104を操作することによりカーソル移動させた指示表示の確定を行なうものである。
【０００４】
【発明が解決しようとする課題】
しかし、上記した従来の５方向キー操作装置では、４個の移動キー103と、1個の確定キー104をそれぞれ独立に備えているので、それぞれのキーを配置するのにかなりのスペースを用意する必要があり、またキーを実際に操作するにあたり特定の指の移動範囲が広くなりそれだけ操作するのに時間がかかってしまうという問題があった。
【０００５】
そこで、本発明の目的は、操作スペースを低減しかつ誤操作なく円滑なキー操作で表示部に表示された情報から所望の情報を選択し確定することができる５方向キー操作装置を提供することにある。
【０００６】
【課題を解決するための手段】
本発明の請求項１記載の発明は、５つのダイヤフラムを十字状に近接配置し、前記ダイヤフラムに対向するキーコア面にプッシャー部を設け、前記プッシャー部の断面の径を中心とその周囲とで変えることにより、５方向操作を１つのキーで行なえるようにしたことを特徴とする５方向キー操作装置としたものである。
【００１０】
また、請求項２記載の発明は、前記プッシャー部のある、キーコア面の任意の位置にリブまたはボスを植立させて、５方向操作を１つのキーで行なえるようにしたことを特徴とする請求項１記載の５方向キー操作装置としたものである。
【００１１】
また、請求項３記載の発明は、５つのダイヤフラムを十字状に近接配置し、前記ダイヤフラムに対向するキーコア面の周囲に形成されているキースカート部の構造を変えることにより５方向操作を１つのキーで行なえるようにしたことを特徴とする５方向キー操作装置としたものである。
【００１２】
また、請求項４記載の発明は、前記キースカート部の幅又は厚みを変えることにより、５方向操作を１つのキーで行なえるようにした請求項３記載の５方向キー操作装置としたものである。
【００１３】
また、請求項５記載の発明は、前記キースカート部の形状を変えることにより、５方向操作を１つのキーで行なえるようにした請求項３記載の５方向キー操作装置としたものである。
【００１６】
また、請求項６記載の発明は、５つのダイヤフラムを十字状に近接配置し、前記ダイヤフラムの荷重を中心とその周囲とで変えるとともに、前記ダイヤフラムに対向するキーコア面にプッシャー部を設け、前記プッシャー部のある、キーコア面の任意の位置にリブまたはボスを植立させたことを特徴とする５方向キー操作装置としたものである。
【００１７】
また、請求項７記載の発明は、５つのダイヤフラムを十字状に近接配置し、前記ダイヤフラムの荷重を中心とその周囲とで変えるとともに、前記ダイヤフラムに対向するキーコア面の周囲に形成されているキースカート部の構造を変えることにより５方向操作を１つのキーで行なえるようにしたことを特徴とする５方向キー操作装置としたものである。
【００１８】
また、請求項８記載の発明は、５つのダイヤフラムを十字状に近接配置し、前記ダイヤフラムの荷重を中心とその周囲とで変えるとともに、前記ダイヤフラムに対向するキーコア面にプッシャー部を設け、前記プッシャー部の構造を中心とその周囲とで変えるようにし、更に前記ダイヤフラムに対向するキーコア面の周囲に形成されているキースカート部の構造を変えることにより５方向操作を１つのキーで行なえるようにしたことを特徴とする５方向キー操作装置としたものである。
【００１９】
【発明の実施の形態】
以下、本発明の実施の形態について、図１から図１２を用いて説明する。
【００２０】
図１は、本発明の実施形態に係るＰＨＳをも含む携帯電話機等に組込まれている５方向キー操作装置の分解斜視図であり、図２乃至図１１は携帯電話機として組立てた後に図１のＡ−Ａ線に沿った断面図である。
【００２１】
図１において、通常ＰＨＳをも含む携帯電話機等では、シリコンゴムなどから構成されるキーシート21にテンキー22などが一体に形成され、これがカバー10の所定位置に装着されるとともにプリント基板24に設けられたダイヤフラム23に対向するように設置される。
【００２２】
そして、本発明に係る５方向キー操作装置は、キーシート21に植立された最大のキーと、それに対応する十字状に設置されたダイヤフラム23とから構成されるようになっている。
【００２３】
図２（ａ）は、組立後に図１のＡ−Ａ線に沿った本発明の第１の実施の形態に係る５方向キー操作装置の構成を示す断面図であり、図２（ａ）においてプリント基板24に５つのダイヤフラム23が示されており、それに対向するキーコア面に５つのプッシャー部26がキーベース27に設けられている。なお、プッシャー部26はキーシート21を下方から見た図２（ｂ）のように、中央のプッシャー部26ａを中心として上下左右に４つのプッシャー部26ｂが配置されている。そして、中央のプッシャー部の高さが上下左右のプッシャー部の高さよりも高くなるように設定されている。
【００２４】
このように構成された５方向キー操作装置においては、キートップ25が１つであるにも拘わらず中央のプッシャー部の高さと周囲のプッシャー部の高さが異なるので、中央のプッシャー部を押した時と、上下左右のプッシャー部を押した時の押し感が違って来るため、誤操作もなく円滑にキー操作を行なうことができる。
【００２５】
図３は、組立後に図１のＡ−Ａ線に沿った本発明の第１の実施の形態に係る他の５方向キー操作装置の構成を示す断面図であり、図２（ａ）と同じような発想であるが図２（ａ）とは異なり、上下左右のプッシャー部の高さが中央のプッシャー部の高さよりも高くなるように設定されている。
【００２６】
このように構成された５方向キー操作装置においては、キートップ25が１つであるにも拘わらず中央のプッシャー部の高さと周囲のプッシャー部の高さが異なるので、中央のプッシャー部を押した時と、上下左右のプッシャー部を押した時の押し感が違って来るため、誤操作もなく円滑にキー操作を行なうことができる。
【００２７】
図４は、組立後に図１のＡ−Ａ線に沿った本発明の第２の実施の形態に係る５方向キー操作装置の構成を示す断面図であり、上下左右のプッシャー部の形状（図２（ａ）および図３と同じく台形状）が中央のプッシャー部の形状（図２（ａ）および図３と異なり円弧状）と違うように設定されている。
【００２８】
このように構成された５方向キー操作装置においては、キートップ25が１つであるにも拘わらず中央のプッシャー部の形状と周囲のプッシャー部の形状が異なるので、中央のプッシャー部を押した時と、上下左右のプッシャー部を押した時の押し感が違って来るため、誤操作もなく円滑にキー操作を行なうことができる。
【００２９】
図５は、組立後に図１のＡ−Ａ線に沿った本発明の第２の実施の形態に係る他の５方向キー操作装置の構成を示す断面図で、図４と異なり中央のプッシャー部の形状を円弧状から三角状に変えたものであり、その他は図４と同じように設定されている。
【００３０】
中央のプッシャー部の形状が図４の中央のプッシャー部の形状と異なるので、図４と押し感が違って来るものの図４と同じ効果を有する。
【００３１】
図６は、組立後に図１のＡ−Ａ線に沿った本発明の第３の実施の形態に係る５方向キー操作装置の構成を示す断面図であり、図２（ａ）および図３と同じく台形状の中央のプッシャー部の断面の径が図２（ａ）および図３と同じく台形状の上下左右のプッシャー部の断面の径よりも大きいように設定されている。
【００３２】
このように構成された５方向キー操作装置においては、キートップ25が１つであるにも拘わらず中央のプッシャー部の断面の径と周囲のプッシャー部の断面の径が異なるので、中央のプッシャー部を押した時と、上下左右のプッシャー部を押した時の押し感が違って来るため、誤操作もなく円滑にキー操作を行なうことができる。
【００３３】
図７は、組立後に図１のＡ−Ａ線に沿った本発明の第３の実施の形態に係る他の５方向キー操作装置の構成を示す断面図で、図６と異なり中央のプッシャー部の断面の径を上下左右のプッシャー部の断面の径よりも小さいように設定されている。
【００３４】
このように中央のプッシャー部の断面の径が周囲のプッシャー部の断面の径が異なるので、図６と同様に中央のプッシャー部を押した時と、上下左右のプッシャー部を押した時の押し感が違って来るため、誤操作もなく円滑にキー操作を行なうことができる。
【００３５】
図８（ａ）は、組立後に図１のＡ−Ａ線に沿った本発明の第４の実施の形態に係る５方向キー操作装置の構成を示す断面図で、各プッシャー部26の形状は図２（ａ）および図３と同じで台形であるが、各プッシャー部26の間にリブまたはボス28を植立させたものであり、図８（ｂ）のように４つのボス28ａと上下左右に配置されている４つのプッシャー部26ｂの間に設けたり、図８（ｃ）に示すようにリブ28ｂを設けている。これにより中央のプッシャー部を押した時と、上下左右のプッシャー部を押した時の押し感を異ならしめたものである。
【００３６】
図９（ａ）は、組立後に図１のＡ−Ａ線に沿った本発明の第５の実施の形態に係る５方向キー操作装置の構成を示す断面図で、各プッシャー部26の形状は図２（ａ）、図３および図８（ａ）と同じで台形であるが、図９（ｂ）の例では、スカート部の幅を上下左右方向では広く、45度傾いた方向には狭くした形にしている。また、図９（ｃ）の例では、スカート部の厚みを上下左右方向には薄く、45度傾いた方向には厚くした形にしている。
【００３７】
このように本発明の第５の実施の形態ではキーベース27に設けられるキースカート部29の構造、特にキースカート部29の幅または厚みを調整して、中央のプッシャー部を押した時と、上下左右のプッシャー部を押した時の押し感を異ならしめたものである。
【００３８】
図１０（ａ）および図１１（ａ）は、組立後に図１のＡ−Ａ線に沿った本発明の第６の実施の形態に係る５方向キー操作装置の構成を示す断面図で、各プッシャー部26の形状は図２（ａ）、図３および図８（ａ）と同じで台形であるが、キーベース27に設けられるキースカート部29の形状を調整して、中央のプッシャー部を押した時と、上下左右のプッシャー部を押した時の押し感を異ならしめたものである。
【００３９】
すなわち、キースカート部29の形状について、図１０（ｂ）のようにキースカート部のたるみの少ない形状の部分と図１０（ｃ）のようにキースカート部のたるみを増やした形状の部分を図９（ｂ）、図９（ｃ）のときのように上下左右方向と45度傾いた方向とが異なるように配置することにより、中央のキープッシャー部を押すときと上下左右のキープッシャー部を押すときの押す感を異ならせることができる。
【００４０】
また、キースカート部29の形状について、図１１（ｂ）と図１１（ｃ）のようにキースカート部が始まる位置をずらした形状のものを上下左右方向と45度傾いた方向とが異なるように配置することにより、中央のキープッシャー部を押すときと上下左右のキープッシャー部を押すときの押し感を異ならせることができる。
【００４１】
図１２は、本発明の第７の実施の形態に係る５方向キー操作装置のダイヤフラム構成を示す断面図で、５つのダイヤフラム23を十字状に近接配置しつつ、中央のダイヤフラムと上下左右のダイヤフラムの荷重を変えて構成したものである。図１２の場合は、中央のダイヤフラムの荷重が２．５Ｎに設定されているのに対して、上下左右のダイヤフラムの荷重は１．６Ｎに設定され、その差を０．９Ｎにしたものである。
【００４２】
これにより、中央のプッシャー部を押した時と、上下左右のプッシャー部を押した時の押し感を異ならしめことができる。
【００４３】
なお、荷重の値をどの程度のものに設定するかは、実際に設定してみてそれに対してキー操作して決めることになり、図１２の値は固定したものではない。
【００４４】
また、図１２の荷重をどの程度にするかは、図２（ａ）乃至図１１（ａ）の構成との組合せによっても異なってくるものであり、この点からも固定した値ではない。
【００４５】
【発明の効果】
以上のように本発明は、操作スペースを低減しかつ誤操作なく円滑なキー操作で表示部に表示された情報から所望の情報を選択し確定することができる５方向キー操作装置を提供することができる。
【図面の簡単な説明】
【図１】本発明の実施の形態に係る５方向キー操作装置の構成を示す図、
【図２】（ａ）組立後に図１のＡ−Ａ線に沿った本発明の第１の実施の形態に係る５方向キー操作装置の構成を示す断面図、
（ｂ）キーシートを下方から見た図、
【図３】組立後に図１のＡ−Ａ線に沿った本発明の第１の実施の形態に係る他の５方向キー操作装置の構成を示す断面図、
【図４】組立後に図１のＡ−Ａ線に沿った本発明の第２の実施の形態に係る５方向キー操作装置の構成を示す断面図、
【図５】組立後に図１のＡ−Ａ線に沿った本発明の第２の実施の形態に係る他の５方向キー操作装置の構成を示す断面図、
【図６】組立後に図１のＡ−Ａ線に沿った本発明の第３の実施の形態に係る５方向キー操作装置の構成を示す断面図、
【図７】組立後に図１のＡ−Ａ線に沿った本発明の第３の実施の形態に係る他の５方向キー操作装置の構成を示す断面図、
【図８】（ａ）組立後に図１のＡ−Ａ線に沿った本発明の第４の実施の形態に係る５方向キー操作装置の構成を示す断面図、
（ｂ）ボスを植立した場合にキーシートを下方から見た図、
（ｃ）リブを植立した場合にキーシートを下方から見た図、
【図９】（ａ）組立後に図１のＡ−Ａ線に沿った本発明の第５の実施の形態に係る５方向キー操作装置の構成を示す断面図、
（ｂ）キースカート部のたるみの少ない形状の例を示す図、
（ｃ）キースカート部のたるみを増やした形状の例を示す図、
【図１０】（ａ）組立後に図１のＡ−Ａ線に沿った本発明の第６の実施の形態に係る５方向キー操作装置の構成を示す断面図、
（ｂ）スカート部の幅を上下左右方向では広く、45度傾いた方向には狭くした形した場合の例を示す図、
（ｃ）スカート部の厚みを上下左右方向には薄く、45度傾いた方向には厚くした形にした場合の例を示す図、
【図１１】（ａ）組立後に図１のＡ−Ａ線に沿った本発明の第６の実施の形態に係る他の５方向キー操作装置の構成を示す断面図、
（ｂ）キースカート部が始まる位置をずらした形状の第１の例を示す図、
（ｃ）キースカート部が始まる位置をずらした形状の第２の例を示す図、
【図１２】本発明の第７の実施の形態に係る５方向キー操作装置のダイヤフラム構成を示す断面図、
【図１３】従来の５方向キー操作装置の構成を示す図である。
【符号の説明】
10  カバー
20  ５方向キー操作装置
21  キーシート
22  テンキー
23  ダイヤフラム
24  プリント基板
25  キートップ
26  プッシャー部
27  キーベース（ゴム製）
28  リブ／ボス
29  キースカート部
100  携帯電話機本体
101  表示部
102  操作部
103  移動キー
104  確定キー
105  テンキー及びその他のキー
【図１】
0004334083.tif 000002
【図２】
0004334083.tif 000003
【図３】
0004334083.tif 000004
【図４】
0004334083.tif 000005
【図５】
0004334083.tif 000006
【図６】
0004334083.tif 000007
【図７】
0004334083.tif 000008
【図８】
0004334083.tif 000009
【図９】
0004334083.tif 000010
【図１０】
0004334083.tif 000011
【図１１】
0004334083.tif 000012
【図１２】
0004334083.tif 000013
【図１３】
0004334083.tif 000014